(57)【要約】【課題】  導光板の入光効率と輝度ムラとを経済的に改善すること。【解決手段】  液晶モジュールを後方から照らすための導光板４の入射面４ａに対向して複数の光源５が所定間隔をおいて配列され、光源５から導光板４の入射面４ａを通過する光ａで該導光板４を光らせるようにしており、前記導光板４の入射面４ａに、該入射面４ａに対して垂直方向Ｘに沿う屈折率が小さくその入射面４ａに対して平行方向Ｙに沿う屈折率が大きい光学異方性部材８が配置され、前記光源５が発光ダイオードチップＬＥＤからなり、該発光ダイオードチップＬＥＤを光学異方性部材８に密着させている。【選択図】        図２
2013050470.tif 000002
【特許請求の範囲】
【請求項１】
キャビネット内に配置した薄型表示部が、キャビネットの開口部に対向させた液晶モジ
ュールと、該液晶モジュールを後方から照らすための導光板とを有し、該導光板の入射面
に対向して複数の光源が所定間隔をおいて配列されており、その光源から導光板の入射面
を通過する光で該導光板を光らせるようにした薄型表示装置において、前記導光板の入射
面に、該入射面に対して垂直方向に沿う屈折率が小さくその入射面に対して平行方向に沿
う屈折率が大きい光学異方性部材が配置されていることを特徴とする薄型表示装置。
【請求項２】
前記光源が発光ダイオードチップからなり、該発光ダイオードチップを前記光学異方性
部材に密着させていることを特徴とする請求項１に記載の発明の薄型表示装置。
【発明の詳細な説明】
【技術分野】
【０００１】
本発明は、例えば液晶テレビなどの薄型表示装置に関し、特に、導光板の入光効率と輝
度ムラとを経済的に改善するものである。
【背景技術】
【０００２】
従来、薄型表示装置の一例として図３に示すものがあり、これは液晶テレビであって、
キャビネット１内に配置した薄型表示部２が、キャビネット１の開口部１ａに対向させた
液晶モジュール３と、該液晶モジュール３を後方から照らすための導光板４とを有し、該
導光板４の入射面４ａに対向して複数の光源５が所定間隔をおいて配列されている。なお
、６は反射板である。
【０００３】
図４に示すように、前記導光板４は、入射面４ａに対して垂直方向Ｘと平行方向Ｙとで
屈折率が同一の透明合成樹脂（例えばアクリル樹脂、ポリカーボネートなど）からなり、
各光源５から入射面４ａを通過した光ａが屈折して所定の拡散角αで拡散される。なお、
関連する技術として特許文献１に記載したものがある。
【先行技術文献】
【特許文献】
【０００４】
【特許文献１】特開２００６−２０２７０３号公報
【発明の概要】
【発明が解決しようとする課題】
【０００５】
上記従来の構成では、導光板４として屈折率が大きい材料を採用した場合、図４（ｂ）
に示すように、平行方向Ｙに沿う光ａの拡散角αを大きくとることができ、光源５の数が
少なくてよく経済的であるという利点があるが、図４（ｃ）に示すように、垂直方向Ｘに
おいては、導光板４の前面４ｂ及び後面４ｃに対する光ａの反射角度βが鋭角過ぎるため
、その前面４ｂから液晶モジュール３に向けて漏光ｂが発生し、輝度ムラが生じやすくな
る。
【０００６】
また、導光板４として屈折率が小さい材料を採用した場合には、図４（ｅ）に示すよう
に、垂直方向Ｘにおいては、導光板４の前面４ｂ及び後面４ｃに対する光ａの反射角度β
が鈍角になり、前面４ｂから光ａが漏れることがなくなり、光反射効率を向上させること
ができるという利点があるが、図４（ｄ）に示すように、平行方向Ｙに沿って光ａの拡散
角αが狭くなり、その狭くなった分だけ光源５の数を増加させる必要が生じてコストアッ
プになる。
【０００７】
更に、光源５が入射面４ａから離れており、その光源５と入射面４ａとの間に空気層が
あるため、光源５から発せられた光ａが入射面４ａで反射されてフレネル損失を発生させ
、入光効率が悪くなるという難点がある。
【０００８】
本発明は、上記従来の欠点に鑑み、導光板の入光効率と輝度ムラとを経済的に改善した
薄型表示装置を提供することを目的としている。
【課題を解決するための手段】
【０００９】
上記目的を達成するため、請求項１に記載の発明は、キャビネット内に配置した薄型表
示部が、キャビネットの開口部に対向させた液晶モジュールと、該液晶モジュールを後方
から照らすための導光板とを有し、該導光板の入射面に対向して複数の光源が所定間隔を
おいて配列されており、その光源から導光板の入射面を通過する光で該導光板を光らせる
ようにした薄型表示装置において、前記導光板の入射面に、該入射面に対して垂直方向に
沿う屈折率が小さくその入射面に対して平行方向に沿う屈折率が大きい光学異方性部材が
配置されていることを特徴としている。
【００１０】
請求項２に記載の発明は、請求項１に記載の発明において、前記光源が発光ダイオード
チップからなり、該発光ダイオードチップを前記光学異方性部材に密着させていることを
特徴としている。
【発明の効果】
【００１１】
請求項１に記載の発明によれば、導光板として屈折率が大きい材料を採用することによ
り、該導光板の入射面に配置した光学異方性部材の平行方向に沿う屈折率が大きいので、
その導光板の平行方向に沿う光の拡散角を大きくとることができ、光源の数が少なくてよ
く経済的であるという利点をそのまま維持することができ、また、その光学異方性部材の
垂直方向に沿う屈折率が小さいから、導光板の前面及び後面に対する光の反射角度が大き
くなって、その導光板の前面から光が漏れることがなくなり、光反射効率が向上し、輝度
ムラを大幅に改善することができる。
【００１２】
要するに、光学異方性部材により、屈折率が大きい導光板の利点をそのまま生かし、そ
の欠点を解消するものである。
【００１３】
請求項２に記載の発明よれば、発光ダイオードチップと光学異方性部材との間に空気層
が無いので、その発光ダイオードから発せられた光がそのまま光学異方性部材を通過して
導光板内に拡散され、従来のようなフレネル損失の発生を解消し、入光効率を著しく改善
させることができる。
【図面の簡単な説明】
【００１４】
【図１】（ａ）は本発明の実施の一形態である薄型表示装置の正面図、（ｂ）は同側面図である。
【図２】（ａ）は同要部の斜視図、（ｂ）はＡ−Ａ矢視図、（ｃ）はＢ−Ｂ矢視図である。
【図３】（ａ）は従来例を示す正面図、（ｂ）は同側面図である。
【図４】（ａ）は同要部の斜視図、（ｂ）はＣ−Ｃ線に沿う従来の一例を示す正面図、（ｃ）はＤ−Ｄ線に沿う従来の一例を示す側面図、（ｄ）はＣ−Ｃ線に沿う従来の他の例を示す正面図、（ｅ）はＤ−Ｄ線に沿う従来の他の例を示す側面図である。
【発明を実施するための形態】
【００１５】
図１及び図２は本発明の実施の一形態である薄型表示装置を示すものであり、これは液
晶テレビであって、導光板４の入射面４ａに光学異方性部材８が配置され、光源５として
発光ダイオードチップＬＥＤが用いられている。なお、９は発光ダイオードチップＬＥＤ
を支持する基板である。上記以外の構成は図３及び図４に示す構成とほぼ同じであるから
、同一部分に同一符号を付してその説明を省略する。
【００１６】
前記導光板４は、入射面４ａに対して垂直方向Ｘと平行方向Ｙとで屈折率が同一の透明
合成樹脂（例えばアクリル樹脂、ポリカーボネートなど）からなり、この実施の形態では
、屈折率が大きい材料（例えば１．５）を採用している。
【００１７】
前記光学異方性部材８は、入射面４ａに対して垂直方向Ｘに沿う屈折率が小さくその入
射面４ａに対して平行方向Ｙに沿う屈折率が大きい透明合成樹脂〔例えばポリエチレンテ
レフタレート（ＰＥＴ）、ポリエチレンナフタレート（ＰＥＮ）など〕からなり、この実
施の形態では、垂直方向Ｘの屈折率が１．０で、平行方向Ｙの屈折率が１．５の材料を採
用している。
【００１８】
前記導光板４と屈折率が近いアクリル系透明樹脂接着剤で該導光板４の入射面４ａに光
学異方性部材８が接着され、また、発光ダイオードチップＬＥＤも同じように光学異方性
部材８に接着されている。
【００１９】
導光板４を光らせる手順を説明すると、図２（ｂ）に示すように、発光ダイオードチッ
プＬＥＤから光ａが平行方向Ｙに沿って大きな屈折率（例えば１．５）で光学異方性部材
８内を通過した後、その光ａが導光板４内を同じく大きな屈折率（例えば１．５）で同一
方向に直線的に通過して大きな拡散角αで拡散される。
【００２０】
図２（ｃ）に示すように、発光ダイオードチップＬＥＤから光ａが垂直方向Ｘに沿って
小さな屈折率（例えば１．０）で光学異方性部材８内を通過するから、その光ａが導光板
４内に入って該導光板４の前面４ｂ及び後面４ｃで大きな反射角度βで反射され、漏光ｂ
〔図４（ｃ）参照〕を発生させることなく、その光ａが導光板４内を繰り返し反射して拡
散される。
【００２１】
上記構成によれば、導光板４として屈折率が大きい材料を採用しており、該導光板４の
入射面４ａに配置した光学異方性部材８の平行方向Ｙに沿う屈折率が大きいので、その導
光板４の平行方向Ｙに沿う光ａの拡散角αを大きくとることができ、発光ダイオードチッ
プＬＥＤの数が少なくてよく経済的であるという利点をそのまま維持することができ、ま
た、その光学異方性部材８の垂直方向Ｘに沿う屈折率が小さいから、導光板４の前面４ａ
及び後面４ｂに対する光ａの反射角度βが大きくなって、その導光板４の前面４ａから光
ａが漏れることがなくなり、光反射効率が向上し、輝度ムラを大幅に改善することができ
る。
【００２２】
要するに、光学異方性部材８により、屈折率が大きい導光板４の利点をそのまま生かし
、その欠点を解消するものである。
【００２３】
発光ダイオードチップＬＥＤと光学異方性部材８との間に空気層が無いので、その発光
ダイオードチップＬＥＤから発せられた光がそのまま光学異方性部材８を通過して導光板
４内に拡散され、従来のようなフレネル損失の発生を解消し、入光効率を著しく改善させ
ることができる。
【符号の説明】
【００２４】
１        キャビネット
２        薄型表示部
３        液晶モジュール
４        導光板
４ａ      導光板の入射面
４ｂ      導光板の前面
４ｃ      導光板の後面
５        光源
８        光学異方性部材
Ｘ        垂直方向
Ｙ        平行方向
ＬＥＤ    発光ダイオードチップ
【図１】
2013050470.tif 000003
【図２】
2013050470.tif 000004
【図３】
2013050470.tif 000005
【図４】
2013050470.tif 000006